(57)【特許請求の範囲】
【請求項１】
印刷装置及び当該印刷装置で印刷された印刷物を使用した後処理工程を行う後処理装置によるジョブの実行を制御する情報処理装置であって、
前記印刷装置で印刷された複数種の印刷物の後処理工程で使用する後処理装置、及び当該後処理装置への給紙方法に関する後処理工程情報を記憶する記憶手段と、
後処理装置への給紙方法、及び当該後処理装置の排紙方法に関する給排紙情報を格納する格納手段と、
前記印刷装置での印刷及び前記後処理装置での後処理工程の実行を指示する複数のジョブを基に、前記ジョブで指示された前記後処理装置の後処理工程情報、および当該後処理装置への給紙方法、及び当該後処理装置の排紙方法に関する給排紙情報を取得する取得手段と、
前記後処理工程情報及び前記給排紙情報に基づいて、複数種の印刷物のそれぞれに対する、前記印刷装置から排紙される印刷物の排紙面、前記後処理工程でのジョブの実行順序を決定する決定手段と、
前記決定手段で決定された前記印刷装置から排紙される印刷物の排紙面、前記実行順序に基づいて、前記複数のジョブを編集する編集手段と、
前記編集手段で編集した前記複数のジョブを前記印刷装置及び前記後処理装置へ送信する送信手段と、
を有することを特徴とする情報処理装置。
【請求項２】
前記印刷装置から排紙された印刷物は、人手によって前記後処理装置の給紙部に運ばれて当該給紙部にセットされ、
前記印刷装置から排紙される印刷物の排紙面は、前記後処理装置に給紙される印刷物の給紙面に対して逆向きに設定されることを特徴とする請求項１に記載の情報処理装置。
【請求項３】
１つのジョブで印刷される前記印刷物のページ数が複数で、前記給排紙情報が前記後処理装置の給紙方法と排紙方法とが同じであることを示している場合、前記決定手段は、前記印刷装置から排紙される印刷物のページの順序を逆順に決定することを特徴とする請求項１又は２に記載の情報処理装置。
【請求項４】
１つのジョブで印刷される前記印刷物のページ数が複数で、前記給排紙情報が前記後処理装置の給紙方法と排紙方法とが異なることを示している場合、前記決定手段は、前記印刷装置から排紙される印刷物のページの順序を正順に決定することを特徴とする請求項１又は２に記載の情報処理装置。
【請求項５】
前記決定手段は、前記給排紙情報が前記後処理装置の排紙方法がフェースダウン排紙であることを示している場合、前記印刷装置で実行される複数のジョブの順序を正順に決定することを特徴とする請求項１乃至４のいずれか１項に記載の情報処理装置。
【請求項６】
前記決定手段は、前記給排紙情報が前記後処理装置の排紙方法がフェースアップ排紙であることを示している場合、前記印刷装置で実行される複数のジョブの順序を逆順に決定することを特徴とする請求項１乃至４のいずれか１項に記載の情報処理装置。
【請求項７】
前記複数のジョブは、前記後処理装置の給紙部に給紙される印刷物の表面を指示する給紙面指示データを前記印刷装置に印刷させるジョブを含み、当該給紙面指示データが印刷された印刷物を前記印刷装置から排紙された印刷物に追加する手段をさらに有することを特徴とする請求項１乃至６のいずれか１項に記載の情報処理装置。
【請求項８】
印刷装置及び当該印刷装置で印刷された印刷物を使用した後処理工程を行う後処理装置によるジョブの実行を制御する情報処理装置を制御する情報処理方法であって、
前記情報処理装置の記憶手段が、前記印刷装置で印刷された複数種の印刷物の後処理工程で使用する後処理装置、及び当該後処理装置への給紙方法に関する後処理工程情報を記憶する記憶工程と、
前記情報処理装置の格納手段が、後処理装置への給紙方法、及び当該後処理装置の排紙方法に関する給排紙情報を格納する格納工程と、
前記情報処理装置の取得手段が、前記印刷装置での印刷及び前記後処理装置での後処理工程の実行を指示する複数のジョブを基に、前記ジョブで指示された前記後処理装置の後処理工程情報、および当該後処理装置への給紙方法、及び当該後処理装置の排紙方法に関する給排紙情報を取得する取得工程と、
前記情報処理装置の決定手段が、前記後処理工程情報及び前記給排紙情報に基づいて、複数種の印刷物のそれぞれに対する、前記印刷装置から排紙される印刷物の排紙面、前記後処理工程でのジョブの実行順序を決定する決定工程と、
前記情報処理装置の編集手段が、前記決定工程で決定された前記印刷装置から排紙される印刷物の排紙面、前記実行順序に基づいて、前記複数のジョブを編集する編集工程と、
前記情報処理装置の送信手段が、前記編集工程で編集した前記複数のジョブを前記印刷装置及び前記後処理装置へ送信する送信工程と、
を有することを特徴とする情報処理方法。
【発明の詳細な説明】
【技術分野】
【０００１】
本発明は、印刷装置及び当該印刷装置で印刷された印刷物を使用した後処理工程を行う後処理装置によるジョブの実行を制御する情報処理装置と情報処理方法に関するものである。
【背景技術】
【０００２】
従来、パーソナルコンピュータで、複数ページのレイアウトに対してユーザが自由に画像データを配置して冊子を作成して注文できる、いわゆるフォトブック注文サービスがある。このフォトブックは、本文、表紙、ジャケットなどの複数のパーツで構成されており、各パーツは、フォトブックを作成する工程において印刷後の後処理がそれぞれ異なるため、別々の後処理装置で作成されるのが一般的である。よって、印刷物を後処理装置に運搬する際に仕分けに手間がかからないように、同一のパーツ単位で印刷を行い、その印刷物をそのまま後処理装置へ給紙して後処理を行うことが必要である。その場合の後処理装置への給紙方法は、どのような成果物を作成するか、後処理装置がどのような給紙が可能か等によって予め決まっている。よって、作業者が印刷物を後処理装置へまとめて効率良く給紙できるように、印刷ジョブの段階で排紙方法を制御することが必要になってくる。
【０００３】
後処理装置の給紙方法に基づいて印刷ジョブでの排紙方法を制御するための技術として特許文献１が挙げられる。特許文献１では、後処理装置の給紙方法を示す能力情報に基づいて印刷装置の排紙方法を決定し、その決定された排紙方法を後処理装置に通知させると同時に、作業指示書として排紙方法の情報を出力している。また、その作業指示書を、積載された印刷物の最上部に排紙させるように制御することにより、作業者が作業指示書を入手し易くしている。
【先行技術文献】
【特許文献】
【０００４】
【特許文献１】特開２００９−２６９３１０号公報
【発明の概要】
【発明が解決しようとする課題】
【０００５】
しかしながら、上述した従来技術では、フォトブック作成時のような複数のパーツでそれぞれ後処理が異なる場合に、あるパーツと別のパーツで後処理装置への給紙方法が異なっていても、パーツ毎に排紙方法の制御を切り替えることができない。また従来技術では、印刷ジョブでの排紙方法をフェースダウン（印刷物の表面を下向きにする）にするか、フェースアップ（印刷物の表面を上向きにする）にするかの制御のみを行っている。
【０００６】
しかし、１つのジョブが複数ページで構成されている場合、後処理装置から出力される際にページの順序が最終ページから先頭ページというように逆順に配列されてしまう可能性がある。また基本的に、フォトブックは特定のユーザが同一内容の冊子を大量に注文するのではなく、異なるユーザがそれぞれ異なる冊子を少量に注文するケースが多い。そのためフォトブックのパーツ同士を組み合わせる際、各パーツの最初の印刷物はブックＡの構成物、２番目の印刷物はブックＢの構成物というように、各パーツの印刷物が、各対応するブックの順番に並んでいるのが望ましい。しかし、上述した従来技術では、パーツ間での順番の制御を行っていないため、パーツ間で順序が合わず、対応しているパーツ同士を探さなければならない。
【０００７】
本発明は上記従来の問題点を解決することを目的とする。
【０００８】
本願発明の特徴は、印刷物の種類ごとに、印刷装置から排紙される印刷物の排紙方法を制御する技術を提供する。
【課題を解決するための手段】
【０００９】
上記目的を達成するために本発明の一態様に係る情報処理装置は以下のような構成を備える。即ち、
印刷装置及び当該印刷装置で印刷された印刷物を使用した後処理工程を行う後処理装置によるジョブの実行を制御する情報処理装置であって、
前記印刷装置で印刷された複数種の印刷物の後処理工程で使用する後処理装置、及び当該後処理装置への給紙方法に関する後処理工程情報を記憶する記憶手段と、
後処理装置への給紙方法、及び当該後処理装置の排紙方法に関する給排紙情報を格納する格納手段と、
前記印刷装置での印刷及び前記後処理装置での後処理工程の実行を指示する複数のジョブを基に、前記ジョブで指示された前記後処理装置の後処理工程情報、および当該後処理装置への給紙方法、及び当該後処理装置の排紙方法に関する給排紙情報を取得する取得手段と、
前記後処理工程情報及び前記給排紙情報に基づいて、複数種の印刷物のそれぞれに対する、前記印刷装置から排紙される印刷物の排紙面、前記後処理工程でのジョブの実行順序を決定する決定手段と、
前記決定手段で決定された前記印刷装置から排紙される印刷物の排紙面、前記実行順序に基づいて、前記複数のジョブを編集する編集手段と、
前記編集手段で編集した前記複数のジョブを前記印刷装置及び前記後処理装置へ送信する送信手段と、を有することを特徴とする。
【発明の効果】
【００１０】
本発明によれば、印刷物の種類ごとに、印刷物の排紙順序に基づいて後処理工程を実行できるため、後処理装置への給紙時に印刷物を並び替える手間を省くことができる。
【００１１】
また、印刷物を得るためのジョブの順番を並び替える手間を省くことができる。
【００１２】
また、印刷物の種類ごとに順番が揃っているため、対応している印刷物の種類の探索や並び替えの作業の手間を省くことができる。
【図面の簡単な説明】
【００１３】
【図１】実施形態に係るフォトブック作成システムの構成の一例を示すブロック図。
【図２】情報処理装置のハードウェア構成の一例を説明するブロック図。
【図３】フォトブックの構成及びフォトブック作成までの処理工程の一例を表す図。
【図４】フォトブックの作成処理を実行するジョブ構成の一例を表す図。
【図５】情報処理装置のワークフロー管理部が管理する、後処理工程情報の構成例を示す図。
【図６】情報処理装置のデバイス管理部が管理する、後処理装置の給排紙情報の構成例を示す図。
【図７】情報処理装置が行うジョブの送信制御処理を説明するフローチャート。
【図８】実施形態１に係る情報処理装置による印刷物の排紙面、ページ順序及びジョブの送信順序の決定処理を説明するフローチャート。
【図９】実施形態１に係る印刷ジョブの排紙面、ページ順序設定及びジョブ送信順序決定までの制御の一例を説明する図。
【図１０】実施形態２に係る情報処理装置が行うジョブの送信制御処理の一例を示すフローチャート。
【図１１】実施形態２に係る印刷ジョブの排紙面、ページ順序設定及びジョブ送信順序決定までの制御の一例を説明する図。
【図１２】実施形態３に係る情報処理装置が行うジョブの送信制御処理を説明するフローチャート。
【図１３】実施形態３に係るパーツ（帯）の給紙面指示データの印刷例を示す図。
【図１４】帯のジョブが複数ページから構成される場合に実施形態１を適用した結果を説明する図である。
【発明を実施するための形態】
【００１４】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１５】
図１は、本発明の実施形態に係るフォトブック作成システムの構成の一例を示すブロック図である。
【００１６】
このシステムは、大きく分けてクライアント機器１、情報処理装置２、印刷装置３、後処理装置４を具備している。クライアント機器１は、主に、ユーザがフォトブックのレイアウトを編集及び作成する。いまクライアント機器１のユーザがフォトブックのレイアウト編集を完了し、注文を確定させると、クライアント機器１は、ユーザが作成したフォトブックに関する複数のジョブを生成する。ここでいうジョブとは、印刷装置３及び後処理装置４で処理されるコンテンツ情報、又はジョブチケット、或いはその両方を合わせたものである。尚、このシステムでは、クライアント機器１は１つ以上存在するものとする。また、クライアント機器１は、情報処理装置２とネットワーク１３で接続されており、インターネットなどを介して通信を行う。情報処理装置２は、クライアント機器１からのジョブを受け付け、印刷装置３及び後処理装置４への出力を制御する。
【００１７】
情報処理装置２はジョブ受信部５、ワークフロー管理部６、ジョブ解析部７、ジョブ制御部８、デバイス管理部９、後処理工程情報１０、後処理装置の給排紙情報１１、ジョブ編集部１２を有している。印刷装置３は、送信されてきた印刷ジョブを解釈し、ラスタライズ処理して印刷する。後処理装置４は、デバイス管理部９を介して送信されてきた後処理ジョブを解釈し、自動的に後処理パラメータを設定し、印刷物がセットされたタイミングで印刷物の後処理を行う。この後処理装置４の種類としては、例えば、くるみ製本機、断裁機、筋入れ機、ラミネータなどが挙げられる。
【００１８】
ジョブ受信部５は、クライアント機器１からの印刷ジョブや後処理ジョブのデータを受け付ける。ワークフロー管理部６は、ユーザが予め設定した後処理のワークフローに関するデータを管理する。ジョブ受信部５が受信したデータは、ワークフロー管理部６の制御の下に後処理工程情報１０に格納されて管理される。ジョブ解析部７は、ジョブ受信部５で受信したジョブを解析して、コンテンツの詳細情報や詳細な印刷設定情報を取得する。またジョブ解析部７は、ジョブの解析を行い、コンテンツ情報に対する印刷設定の情報または後処理設定の情報をメモリに保存する。ジョブ制御部８は、ジョブ解析部７によって解析されたジョブを、ワークフロー管理部６で管理されている後処理工程情報１０や、後処理装置の給排紙情報１１に基づいて出力するように制御する。デバイス管理部９は、印刷装置３及び後処理装置４の管理を行う。デバイス管理部９は、印刷装置３及び後処理装置４から能力情報、構成情報及びプリンタ接続情報を取得する機能や、印刷装置３に対して印刷ジョブを、後処理装置４に対して後処理ジョブを送信する機能を持つ。また、情報処理装置２は後処理工程情報１０、後処理装置の給排紙情報１１を保持する。後処理工程情報１０については図４で、後処理装置の給排紙情報１１については図５で詳細な説明を行う。ジョブ編集部１２は、ジョブ中のコンテンツ又はジョブチケットを編集する機能を備える。
【００１９】
図２は、実施形態に係る情報処理装置２のハードウェア構成の一例を説明するブロック図である。
【００２０】
ＣＰＵ２１は、ＲＯＭ２６のプログラム領域に記憶されたプログラム、又は、ハードディスク２３からＲＡＭ２２にロードされたＯＳ、汎用アプリケーション等のプログラムを実行する。ＲＡＭ２２は、ＣＰＵ２１の主メモリ、ワークエリア等として機能する。ハードディスク２３は、ＯＳ、汎用アプリケーション等のプログラム、フォントデータ、ユーザファイル、電子原稿ファイル等を記憶する。また情報処理装置２が受信した印刷ジョブは、全てハードディスク２３に格納される。ディスプレイコントローラ２４は、表示部（不図示）への表示制御を行う。ネットワークコントローラ２５は、ネットワーク１３に接続された他の機器との通信制御処理を実行する。キーボードコントローラ２９は、キーボードやポインティングデバイスからの入力を制御する。またＣＰＵ２１は、内部バス２ａによって、それぞれのユニットと接続され、これらの動作を制御している。
【００２１】
図３（Ａ）（Ｂ）は、本実施形態に係るフォトブックの構成及びフォトブック作成までの処理工程の一例を表す図である。
【００２２】
図３（Ａ）は、フォトブックの構成の一例を表す図であり、本実施形態では、表紙３１、本文３２、帯３３、ジャケット３４の４種類のパーツを組み合わせて１冊のフォトブックを作成する。表紙３１と本文３２はくるみ製本処理により製本されており、その上からジャケット３４を被せ、更にその上から帯３３を被せている。
【００２３】
図３（Ｂ）は、フォトブック作成までの各パーツの処理工程の一例を表す図である。各パーツは印刷装置３によって印刷され、印刷された印刷物は人手によって後処理装置４へ搬送され、その後処理装置４で後処理が行われる。表紙３１の後処理はラミネータ３８によって表面にラミネート処理が施された後、くるみ製本機３５に運搬される。表紙３１と本文３２はくるみ製本機３５でくるみ製本され、１つの冊子が作られる。尚、くるみ製本を行う際、表紙３１と本文３２の印刷物が人手によってくるみ製本機３５に運搬され、別々の箇所に印刷物が設定される。また予め、後処理装置４に送信されていた後処理の設定は、表紙３１もしくは本文３２に印刷されているバーコードを読み込むことにより、その設定情報が反映されるのが一般的である。こうしてくるみ製本された後、断裁機３６によって冊子の断裁が行われる。
【００２４】
一方、帯３３は筋入れ機３７によって印刷物への筋入れ及び断裁処理が行われる。更に、ジャケット３４は、ラミネータ３８によって表面にラミネート処理が施された後、筋入れ機３７によって印刷物への筋入れ及び断裁が行われる。最後に、各パーツを組み付けることによって、１冊のフォトブックが完成する。
【００２５】
以上のように、各パーツの工程は、初めに印刷装置３で印刷処理を行う点では同じであるが、その後の後処理工程では、使用される後処理装置３５の数や工程がそれぞれ異なっている。尚、印刷装置３など、異なるパーツで使用するデバイスは同一デバイスでも良いし、別のデバイスであっても良い。また、工程の順序が守られていれば複数の工程を同一のデバイスで処理しても良い。例えば、ジャケット３４の工程で、ラミネータ３８によるラミネーティング処理と筋入れ機３７による筋入れ処理は別デバイスで行っているが、ラミネーティング処理と筋入れ処理を順番に処理可能な１つのデバイスを使用しても良い。
【００２６】
図４は、実施形態に係るフォトブックの作成処理を実行するジョブ構成の一例を表す図である。
【００２７】
本実施形態では、クライアント機器１は、ユーザからの注文を受け付けると、その注文に応じたコンテンツ及びジョブチケットを生成する。本実施形態では、１つのフォトブック作成の注文で生成されるジョブは、各パーツを印刷する印刷ジョブ４１〜４４、くるみ製本ジョブ４５、断裁ジョブ４６、帯・ジャケットの筋入れジョブ４７，４８の計８つのジョブで構成されている。このうち、印刷ジョブ４１〜４４は印刷工程に関するジョブであるため、各パーツのコンテンツと印刷設定が含まれている。一方、印刷ジョブ以外のジョブは後処理工程に関するジョブであるため、後処理設定のみが含まれている。
【００２８】
情報処理装置２のデバイス管理部９は、これら８つのジョブをそれぞれ、そのジョブを実行可能なデバイスに送信する。こうしてジョブが送信された後は、印刷装置３であれば印刷を行うことが可能となる。また後処理装置４では、作業者が印刷装置３で印刷された印刷物を後処理装置４へ搬送することにより、情報処理装置２から送信された後処理設定パラメータを呼び出して印刷物の後処理を行うことが可能となる。
【００２９】
図５は、情報処理装置２のワークフロー管理部６が管理する、後処理工程情報１０の構成例を示す図である。
【００３０】
後処理工程情報１０は、後処理工程に関するワークフローと、ページ構成、各工程での給紙方法に関する条件を、パーツごとに管理する情報で、ここでは図５のようにテーブル形式で記憶している。後処理工程情報１０は、パーツ名称５１、各後処理工程で使用する後処理装置の名称（後処理装置名称）５２及びその後処理装置での給紙方法５３、ページ構成５４の４項目を有している。パーツ名称５１は、ワークフローで扱うフォトブックのパーツを一意に識別できるための名称を表す。本実施形態では、表紙、本文、帯、ジャケットの４種類を扱うため、これらの名称が登録されている。後処理装置名称５２は、パーツ名称５１で表されるジョブが後処理工程で使用する後処理装置４を一意に識別できる名称を表す。この名称は、図６において説明する、後処理装置の給排紙情報１１の後処理装置の名称と対応がとれている必要がある。給紙方法５３は、パーツ名称５１で表されるジョブが、後処理装置名称５２で表される後処理装置４を使用して後処理を行う際の給紙に関する条件を表している。この給紙方法５３には、「フェースアップ給紙」、「フェースダウン給紙」、又はその両方が設定される。ここで、「フェースアップ給紙」とは、印刷物の表面を上向きにした状態で給紙することであり、「フェースダウン給紙」とは、印刷物の表面を下向きにした状態で給紙することである。例えば、パーツ名称５１が「表紙」のジョブは、後処理装置名称５２がラミネータ３８の後処理工程では、印刷物をフェースダウンして給紙する必要がある、ということである。
【００３１】
尚、後処理装置名称５２とその給紙方法５３は、パーツ名称５１で表されるジョブの後処理工程で複数の後処理装置４を使用する場合は複数項目存在する。例えば本実施形態においては、表紙の後処理工程は、図３（Ｂ）に示したようにラミネータ３８、くるみ製本機３５、断裁機３６と３つの後処理装置４を使用するため、後処理装置名称５２とその給紙方法５３は計３つ設定される。ページ構成５４は、パーツ名称５１で表されるジョブがどのようなページ構成でとなっているかを表している。ページ構成５４は、排紙される印刷物の枚数が１枚に収まる設定の場合は「単数ページ」が設定され、排紙される印刷物の枚数が複数枚で構成される設定の場合は「複数ページ」が設定される。本実施形態の場合、表紙、帯、ジャケットは排紙される印刷物が１枚であるため「単数ページ」が設定され、本文は排紙される印刷物の枚数が複数枚であるため「複数ページ」が設定される。
【００３２】
図６は、情報処理装置２のデバイス管理部９が管理する、後処理装置の給排紙情報１１の構成例を示す図である。
【００３３】
後処理装置の給排紙情報１１は、後処理装置が備えている給紙・排紙の能力を管理する情報で、図６のようにテーブル形式で管理されており、後処理装置名称６１、給紙方法６２、排紙方法６３を有している。後処理装置名称６１は、このシステムのワークフローが現在管理している後処理装置４を識別する名称を表す。給紙方法６２は、後処理装置名称６１に設定されている後処理装置４が備えている給紙に関する能力情報を表す。この給紙方法６２には、「フェースアップ給紙」、「フェースダウン給紙」、またはその両方が設定される。ここで、「フェースアップ給紙」とは、印刷物の表面を上向きに給紙することであり、「フェースダウン給紙」とは、印刷物の表面を下向きにする給紙することである。排紙方法６３は、後処理装置名称６１に設定されている後処理装置４が備えている排紙に関する能力情報を表す。排紙方法６３は、給紙時の印刷物の方向と、排紙時の印刷物の方向の関係によって、「給紙と同じ向き」「給紙と異なる向き」またはその両方、或いは「なし」が設定される。尚、後処理装置の給排紙情報１１は、デバイス管理部９が後処理装置４から能力情報を取得することで取得して更新されてもよいし、管理者ユーザがパラメータの設定、編集を行っても構わない。
【００３４】
以上説明した後処理装置の給排紙情報１１と、図５を参照して説明した後処理工程情報１０とによって、印刷装置３での印刷処理時の排紙面やページやジョブの送信順序の設定が制御される。
【００３５】
［実施形態１］
次に、本発明の実施形態１に係る情報処理装置２が行うジョブの送信制御処理の一例を図７に示すフローチャートを用いて説明する。この処理を実行するプログラムは、情報処理装置２のハードディスク２３に記憶されており、実行時にＲＡＭ２２に読み出されＣＰＵ２１の制御の下に実行される。
【００３６】
まずＳ１で、ジョブ受信部５は、クライアント機器１で生成されたジョブを受信する。この受信するジョブは、図４を参照して説明したものとする。このジョブは、ユーザが注文したフォトブックの種類の数分、受信される。また、受信したジョブはジョブ解析部７において、ジョブがどの種類のジョブであるか、またどのような設定がされているジョブであるかが解析されて、その結果がＲＡＭ２２に保存される。次にＳ２に進み、ジョブ制御部８は、ワークフロー管理部６で管理されている、図５を参照して説明した後処理工程情報１０を取得する。
【００３７】
次にＳ３に進み、ジョブ制御部８は、図６を参照して説明した後処理装置の給排紙情報１１を取得する。尚、このＳ３における後処理装置の給排紙情報１１の取得は、前述したように、ジョブ制御部８がデバイス管理部９を介して後処理装置４から直接取得しても良いし、後処理装置４の給排紙に関する能力情報をユーザが設定したものを取得しても良い。次にＳ４に進み、ジョブ制御部８は、Ｓ２で取得した後処理工程情報１０及びＳ３で取得した後処理装置の給排紙情報１１を基に、印刷ジョブの排紙面の設定、送信するページの順序設定、及びジョブの送信順序を決定する。このＳ４の処理は、図８のフローチャートを参照して詳しく説明する。こうしてジョブの設定及び送信順序が決定するとＳ５に進み、ジョブ編集部１２は、Ｓ４で決定された印刷ジョブの排紙面の設定や、送信するページ順序設定に基づいて、コンテンツや印刷設定を編集する。最後にＳ６において、デバイス管理部９は、Ｓ５で編集されたジョブを、Ｓ４で決定した送信順序に基づいて印刷装置３又は後処理装置４に送信する。こうしてＳ６の処理を完了すると、この処理を終了する。
【００３８】
次に、本実施形態１における、使用する後処理装置が１台の場合に、ジョブ制御部８が行う、印刷ジョブの排紙面、ページ順序及びジョブ送信順序の決定処理の一例を図８のフローチャートを用いて説明する。
【００３９】
図８は、実施形態１に係る情報処理装置による印刷物の排紙面、ページ順序及びジョブの送信順序の決定処理を説明するフローチャートで、ジョブ制御部８が実行する排紙面、ページ順序及び送信順序の決定処理を説明している。この処理を実行するプログラムは、情報処理装置２のハードディスク２３に記憶されており、実行時にＲＡＭ２２に読み出されＣＰＵ２１の制御の下に実行される。
【００４０】
まずＳ１１で、ジョブ制御部８は、処理対象とするジョブの属性に基づいて、どのパーツのジョブであるかを判別し、そのパーツが後処理装置での後処理の対象であるか否かを判定する。後処理を行わないパーツであると判定した場合は、この処理を終了する。
【００４１】
後処理を行う場合はＳ１２に進むが、このＳ１２〜Ｓ１５までの処理は、印刷ジョブを実行した印刷装置３が印刷物を排紙する際の排紙面の向きを決定する処理を示している。Ｓ１２で、ジョブ制御部８は、対象パーツが使用する後処理装置４の給紙方法を後処理装置の給排紙情報１１に基づいて判断する。後処理装置４の給紙方法が「フェースダウン給紙」の場合はＳ１３に進み、印刷ジョブの排紙面の設定を「フェースアップ排紙」に設定する。一方、後処理装置の給紙方法が「フェースアップ給紙」の場合はＳ１４に進み、印刷ジョブの排紙面の設定を「フェースダウン排紙」に設定する。本設定は、印刷装置で実行されるジョブの順序と後処理装置で実行されるジョブの順序が同一となるようにするために行う。また特に条件がない場合はＳ１５に進み、デフォルトの排紙面に設定する。この処理に関しては図９を参照して詳しく説明する。
【００４２】
次にＳ１６からＳ１９までは、ページ順序を決定する処理を示している。まずＳ１６において、ジョブのページ数を取得し、ページ数が単数（１枚）であるか、複数であるかを判断する。ジョブのページ数が単数である場合は、ページの送信順序を設定する必要がないため、ページの送信順序の決定処理を行わずにＳ１ａに進む。一方、ジョブのページ数が複数の場合はＳ１７に進み、ジョブが関連する後処理装置の給紙方法と排紙方法を取得する。そして後処理装置の給紙方法と排紙方法が異なる向きであるか、同じ向きであるかを判定する。ここで給紙方法と排紙方法が異なる向きである場合はＳ１８に進み、ページを正順で排紙するように設定する。正順で排紙するのは、後処理装置が最上面の用紙から順番に実行する機械上の特性により、給紙と排紙の向きが異なっていると各ジョブのページ順序が後処理装置での実行時に反転せずに保たれるためである。ここで、正順で排紙するとは、印刷物の表面を上にした場合、上から順番に１ページ目、２ページ目、…と印刷物を排紙して積載し、最下位の印刷物の表面が最終ページとすることを意味している。一方、給紙方法と排紙方法とが同じ向きである場合はＳ１９に進み、ページを逆順で排紙するように設定する。逆順で排紙するのは、前述した後処理装置の機械上の特性により、給紙と排紙の向きが同じ場合に各ジョブのページ順序が後処理装置での実行時に反転してしまうためである。ここで、逆順で排紙するとは、印刷物の表面を上にした場合、上から順番に最終ページ、最終ページの１ページ前のページ、…と印刷物を排紙して積載し、最下位の印刷物が１ページ目となるようにすることを意味している。
【００４３】
次にＳ１ａからＳ１ｃまでは、ジョブの送信順序を決定する処理を示している。Ｓ１ａでは、ジョブ制御部８は、後処理装置の排紙方法が何であるかを後処理装置の給排紙情報１１に基づいて判断する。後処理装置４の排紙方法が「フェースダウン排紙」の場合はＳ１ｂに進み、情報処理装置２から印刷装置３と後処理装置４へジョブを正順で送信する設定に決定する。情報処理装置２はジョブを印刷装置３及び後処理装置４に送信する際に、ある規則に基づいた順序で送信する。ある規則とは例えば、ジョブの生成日時が早い順、ジョブの名称順などが挙げられる。ここでジョブを正順で送信するとは、ジョブをある規則に基づいた順序どおりに送信することを表している。逆に後処理装置の排紙方法が「フェースアップ排紙」である場合はＳ１ｃに進み、情報処理装置２から印刷装置３と後処理装置４へジョブを逆順で送信する設定に決定する。ここでジョブを逆順で送信するとは、ジョブをある規則に基づいた順序とは逆から順番に送信することを表している。後処理装置からフェースダウンで排紙される場合、ある規則順で並んだ最初のジョブが最も底面に排紙される必要がある。よって、ジョブの順序はそのジョブを最初に行う、すなわちジョブを正順で処理する必要があるため正順でジョブを送信する。逆にフェースアップで排紙される場合はある規則順で並んだ最初のジョブが最も上面に排紙される。よって、ジョブの順序は該ジョブを最後に行う、すなわちジョブを逆順で処理する必要がある。
【００４４】
ここで、実施形態１に係る帯３３に関する印刷ジョブの排紙面、ページ順序、ジョブ送信順序の決定処理までの制御を図９を参照しながら、図８のフローチャートに沿って説明する。
【００４５】
まずＳ１１で、後処理工程情報１０に後処理工程が含まれるためＳ１２へ進む。Ｓ１２〜Ｓ１５では、印刷装置３から印刷物を排紙する際の排紙面の向きを決定する。筋入れ機３７の給紙方法は、図６の後処理装置の給排紙情報１１から「フェースダウン給紙」、「フェースアップ給紙」のいずれも可である。しかし、図５の後処理工程情報１０によれば、帯３３のジョブは筋入れ機３７に対して「フェースダウン給紙」を行う必要がある。更に、筋入れ機３７の排紙方法は、図６から「給紙と同じ向き」であるため「フェースダウン排紙」となる。よってＳ１２において、後処理装置（筋入れ機３７）の排紙方法は「フェースダウン排紙」となってＳ１３に進み、印刷装置３の排紙方法は、逆向きの「フェースアップ排紙」に決定される。
【００４６】
図９（Ａ）は、印刷装置３における排紙後の印刷物（用紙）の側面図を示す図である。尚、ジョブ制御部８は、ジョブをジョブ１、ジョブ２、ジョブ３の順序で処理するものとする。この時、印刷装置３は「フェースアップ排紙」を行うため、排紙された各印刷物は印刷物の表面が上を向いている。また、ジョブ１から順に実行されて排紙されるため、ジョブ１の内容が印刷された印刷物が排紙トレイ９００の最も底面に排紙され、ジョブ３の内容が印刷された印刷物が最も上面に排紙される。
【００４７】
次にＳ１６において各ジョブのページ順序を決定する。図５の後処理工程情報１０のページ構成５４により、帯３３のジョブは単数ページであるためＳ１６からＳ１ａへ進む。そして最後に、Ｓ１ａで筋入れ機３７へのジョブの送信順序を決定する。図６の後処理装置の給排紙情報１１により、筋入れ機３７の排紙方法６３は「給紙と同じ向き」、即ち、「フェースダウン排紙」であるためＳ１ｂに進み、ジョブが情報処理装置２から後処理装置４へ正順で送信される。
【００４８】
図９（Ｂ）は、筋入れ機３７における給紙後の印刷物の側面図を表している。帯３３のジョブはフェースダウンで給紙する必要があるため、図９（Ａ）で排紙された印刷物の束を、裏面が上を向いた状態で給紙する。よって、ジョブ１の印刷物が給紙トレイ９０１の最も上面に給紙され、ジョブ３の印刷物が最も底面に給紙される。また、ジョブは情報処理装置２から後処理装置４へ正順に送信されてくるため、ジョブ１の印刷物から順番に処理を行う。尚、後処理装置４が印刷物を後処理する順番は、機械的に上面に給紙された印刷物から順番に行うのが一般的である。よって、印刷装置３に送信されたジョブの順序と、筋入れ機３７に給紙されたジョブの順序は一致している。
【００４９】
次に図９（Ｃ）は、筋入れ機３７における排紙後の印刷物の側面図を表している。筋入れ機３７は、給紙と同じ向きに排紙するため、裏面が上を向いた状態で排紙される。また、ジョブ１の印刷物から順番に後処理が実行されるため、ジョブ１の印刷物が排紙トレイ９０２の最も底面に給紙され、ジョブ３の印刷物が最も上面に位置した状態で給紙される。この排紙された帯３３の印刷物の束を、表を上向きにすると図９（Ｄ）のようになる。このように表を上向きにした状態では、印刷物は上から順に、ジョブ１の印刷物、ジョブ２の印刷物、ジョブ３の順序で並んでいるため、他のパーツと組み合わせる際に印刷物の並び替え等の手間が発生しない。
【００５０】
次に、帯３３のジョブが複数ページから構成される場合に第一実施形態を適用した結果について図１４を用いて説明する。図１４（Ａ）は、印刷装置３における排紙後の印刷物（用紙）の側面を示す図である。まず、図８のＳ１２により、排紙面を決定する。図５、６より、帯で使用する後処理装置４である筋入れ機３７は「フェースダウン給紙」を行う必要がある。よってＳ１３に進み、印刷装置３は「フェースアップ排紙」を行う。そのため、排紙された各印刷物は印刷物の表面が上を向いている。また、図８のＳ１６、１７において各ジョブのページ順序を決定する。この場合、帯３３のジョブは複数ページであるためＳ１６からＳ１７へ進む。そしてＳ１７では、図６の後処理装置の給排紙情報１１により、筋入れ機３７の給紙方法と排紙方法が同じ向きであるため、ページ逆順に排紙を行う。よって、各ジョブは1ページ目が最も底面に排紙され、最終ページ（この場合ｎページ目）が最も上面に排紙される。さらに、図８のＳ１ａにおいてジョブの送信順序を決定する。この場合、筋入れ機３７の排紙方法６３は「給紙と同じ向き」、即ち、「フェースダウン排紙」であるためＳ１ｂに進み、ジョブが情報処理装置２及び後処理装置４に対して正順で送信される。そのため、ジョブ１の内容が印刷された印刷物が排紙トレイの最も底面に排紙され、ジョブ３の内容が印刷された印刷物が最も上面に排紙される。
【００５１】
図１４（Ｂ）は、筋入れ機３７における給紙後の印刷物の側面図を表している。帯３３のジョブはフェースダウンで給紙する必要があるため、図１４（Ａ）で排紙された印刷物の束を、裏面が上を向いた状態で給紙する。よって、ジョブ１の印刷物が給紙トレイの最も上面に給紙され、ジョブ３の印刷物が最も底面に給紙される。また同様の理由により、各ジョブにおいて１ページ目が最も上面に給紙され、最終ページが最も底面に給紙される。さらに、ジョブは情報処理装置２から後処理装置４へ正順に、すなわちジョブ１、ジョブ２、ジョブ３の順番で送信されてくるため、ジョブ１の印刷物から順番に処理を行う。尚、先ほども述べたが、後処理装置４が印刷物を後処理する順番は、機械的に上面に給紙された印刷物から順番に行うのが一般的である。よって、印刷装置３に送信されたジョブの順序と、筋入れ機３７に給紙されたジョブの順序は一致している。
【００５２】
図１４（Ｃ）は、筋入れ機３７における排紙後の印刷物の側面図を表している。筋入れ機３７は、給紙と同じ向きに排紙するため、裏面が上を向いた状態で排紙される。また、各ジョブは１ページ目から順番に実行されるため、排紙後は１ページ目が最も底面に、最終ページが最も上面に排紙される。さらに、ジョブ１の印刷物から順番に後処理が実行されるため、ジョブ１の印刷物が排紙トレイの最も底面に給紙され、ジョブ３の印刷物が最も上面に位置した状態で給紙される。この排紙された帯３３の印刷物の束を、表を上向きにすると図１４（Ｄ）のようになる。このように表を上向きにした状態では、印刷物は上から順に、ジョブ１の印刷物、ジョブ２の印刷物、ジョブ３の順序で並んでいる。また、各ジョブにおけるページの順序は上から順に１ページ、２ページ、・・・ｎページと順番に並んでいる。以上により、１つのジョブが複数のページで構成されていても表を上向きにした際にジョブが順番に並んでおり、他のパーツと組み合わせる際に印刷物の並び替え等の手間が発生しない。
【００５３】
以上説明したように実施形態１によれば、複数種類のパーツで構成されるフォトブックを作成する際に、後処理工程情報１０や後処理装置の給紙・排紙の能力情報に基づいて印刷装置３からの印刷物の排紙面、ページの排紙順序及びジョブの送信順序を制御する。これにより、パーツごとに、出力された印刷物の順序で後処理を開始できるため、後処理装置への給紙時に印刷物を並び替える手間を省くことができる。また、上記の処理をパーツごとに行うことで、各パーツの最終成果物の順序を揃えることが可能となる。これにより、ジョブやページの順序の並び替えを行うことなく、パーツの組み付けを行うことができ、作業者の作業効率の向上が期待できる。
［実施形態２］
次に本発明の実施形態２について説明する。この実施形態２では、後処理工程で使用する後処理装置４が複数台の場合のジョブ制御部８が行う処理について説明する。尚、実施形態２に係るシステム構成（図１）、および情報処理装置のハードウェア構成は、前述の実施形態１と同様であるため、その説明を省略する。
【００５４】
図１０は、実施形態２に係る情報処理装置２が行うジョブの送信制御処理の一例を示すフローチャートである。この処理を実行するプログラムは、情報処理装置２のハードディスク２３に記憶されており、実行時にＲＡＭ２２に読み出されＣＰＵ２１の制御の下に実行される。
【００５５】
使用する後処理装置４が複数台の場合、まず１台目に使用する後処理装置４において図８に示すフローチャートで説明した処理を適用する。その後、２台目以降の後処理装置４において、この図１０のフローチャートを適用することで排紙面、順序の再決定を行う。
【００５６】
まずＳ２１で、ジョブ制御部８は、前工程で後処理装置４に送信されるジョブの送信順序を逆にする。即ち、ジョブの送信順序が正順に設定されていた場合は逆順に設定し、逆順で設定されていた場合は正順に設定する。次にＳ２２に進み、対象としている後処理装置４と、１つ前の工程で使用している後処理装置４の排紙方法とが同じであるか否かを判定する。同じであると判定した場合はＳ２３に進み、対象となる後処理装置４へのジョブの送信順序を、前工程の後処理装置４へのジョブの送信順序の逆にする。例えば、１つ前の工程の後処理装置４へのジョブの送信順序が正順であった場合は、対象としている後処理装置４へのジョブの送信順序を逆順に設定する。逆に、対象としている後処理装置４と、１つ前の工程で使用している後処理装置４の排紙方法とが異なる場合はＳ２４に進み、１つ前の工程の後処理装置４とジョブの送信順序を同じにする。
【００５７】
次に実施形態２に係る印刷ジョブの排紙面、ページ順序の設定及びジョブの送信順序決定までの制御を、ジャケット３４の工程を例にして、図１０及び図１１を参照して説明する。なお、ジョブ制御部８は、ジョブをジョブ１、ジョブ２、ジョブ３の順序で処理するものとする。
【００５８】
まず、図５の後処理工程情報１０によると、ジャケット３４はラミネータ３８、筋入れ機３７の順番で後処理が行われる。第一の後処理工程であるラミネータ３８では、後処理工程情報１０及び後処理装置の給排紙情報１１より、ジャケット３４はフェースダウンで給紙され、給紙と同じ向きのフェースダウンで排紙される。以上より、ラミネータ処理を考慮した排紙面、ページ順序設定及びジョブの送信順序は図８のフローチャートに従って決定される。
【００５９】
次に、第二の後処理工程である筋入れ機３７へのジョブの送信順序は、図１０のフローチャートに従って決定される。まずＳ２１で、前工程でのデバイス（ここでは印刷装置３及びラミネータ３８）へのジョブの送信順序を逆にする。よって、印刷装置３及びラミネータ３８に送信されるジョブの順序は逆順となり、ジョブ３、ジョブ２、ジョブ１の順番となる。
【００６０】
図１１（Ａ）は、印刷装置３から排紙された印刷物の側面図を示す図である。このとき、ジョブ３から順番に印刷されて、その印刷物が排紙される。このため、ジョブ１の印刷物が排紙トレイ１１０１の最も上面に排紙され、ジョブ３の印刷物が最も底面に排紙される。またこの場合の排紙方法は、図９（Ａ）同様に「フェースアップ排紙」であるため、印刷物の表面が上を向いている。
【００６１】
図１１（Ｂ）は、ラミネータ３８に給紙された後の印刷物、図１１（Ｃ）は、ラミネータ３８から排紙された後の印刷物の側面図を表している。ジャケット３４の印刷物はラミネータ３８に対してフェースダウンで給紙される必要があるため、図１１（Ａ）のように排紙された印刷物の束を、裏面が上を向いた状態で給紙する。よって、ジョブ１の印刷物が給紙トレイ１１０２の最も底面に給紙され、ジョブ３の印刷物が最も上面に給紙される。また前工程ではジョブは逆順に送信されるため、ジョブ３から順番に処理を行う。
【００６２】
次にＳ２２で、後続の対象となる後処理装置４である筋入れ機３７と、先行する前工程の後処理装置４であるラミネータ３８の排紙方法が同じであるかを判定する。前述の通り図６から、ラミネータ３８の排紙方法は「フェースダウン排紙」である。一方、筋入れ機３７の排紙方法は、後処理工程情報１０及び後処理装置の給排紙情報１１より「フェースダウン排紙」であることがわかる。よってＳ２２で、ラミネータ３８の排紙方法と筋入れ機３７の排紙方法が同じであると判定されてＳ２３に進む。Ｓ２３では、筋入れ機３７へのジョブの送信順序を決定する。１つ前の工程の後処理装置４であるラミネータ３８へのジョブの送信順序は逆順であるため、筋入れ機３７へのジョブの送信順序は、その逆で正順に決定される。
【００６３】
図１１（Ｄ）は、筋入れ機３７に給紙された印刷物の側面図を、図１１（Ｅ）は、筋入れ機３７から排紙された印刷物の側面図を表している。筋入れ機３７では排紙方法は、図６から「給紙と同じ向き」であるため、排紙トレイ１１０４上で印刷物は「フェースダウン排紙」され、印刷物の順序（ジョブの順序）が排紙トレイ１１０４上で下から方向の順になっている。
【００６４】
ここでは、ジャケット３４の印刷物は、筋入れ機３７に対してフェースダウンで給紙する必要があるため、図１１（Ｃ）のように、排紙された印刷物の束を裏面が上を向いた状態で給紙する。よって、ジョブ１の印刷物が給紙トレイ１１０３の最も上面に給紙され、ジョブ３の印刷物が最も底面に給紙される。また筋入れ機３７ではジョブは正順に送信されてきているため、ジョブ１の印刷物から順番に処理を行う。
【００６５】
以上により、最終的に出力された印刷物の束は、表を上にした際にジョブ１から順番に並ぶことになる。これにより、図９（Ｄ）に示す帯３３の例と同様の順番で並んでいるため、帯３３とジャケット３４をくるみ製本された表紙と本文に組み合わせる際に印刷物の並び替え等の手間が発生しない。
【００６６】
以上説明したように実施形態２によれば、複数台の後処理装置４を使用してフォトブックを作成する際、前述の実施形態１と同様に、印刷装置３から排紙される印刷物の排紙面の向き、排紙される印刷物のページの順序及びジョブの送信順序を制御する。これにより、後処理装置への給紙時に印刷物を並び替える手間を省くことができる。また、ジョブやページの順序の並び替えを行うことなくパーツの組み付けを行うことができ、作業者の作業効率を向上させることが可能となる。
【００６７】
［実施形態３］
前述した実施形態１，２では、パーツ毎の後工程情報や後処理装置の能力に応じて印刷物の排紙面やページ順序の設定、ジョブの送信順序（ジョブの実行順序）を決定した。しかし、人手によって後処理装置４の給紙部へ印刷物を運搬して給紙するため、印刷物のどちらが表であるか、また印刷物をどの向きに給紙すればよいかが直感的には分からない場合がある。そのため、後処理装置４に対して誤った向きに印刷物を給紙してしまう恐れがあり、所望の後処理結果が得られない可能性がある。
【００６８】
そこで本実施形態３では、パーツの束単位で先頭又は末尾に、どちらの向きで後処理装置４に給紙するか指示するための印刷物（用紙）を挿入する処理ついて説明する。尚、実施形態３に係るシステム構成（図１）、および情報処理装置のハードウェア構成は、前述の実施形態１と同様であるため、その説明を省略する。
【００６９】
図１２は、本発明の実施形態３に係る情報処理装置２が実行する、給紙面指示データを生成する処理の一例を示すフローチャートである。この処理を実行するプログラムは、情報処理装置２のハードディスク２３に記憶されており、実行時にＲＡＭ２２に読み出されＣＰＵ２１の制御の下に実行される。
【００７０】
図１２のＳ３１〜Ｓ３４の処理は、前述の図７のＳ１〜Ｓ４の処理と同様であるため、その説明を省略する。
【００７１】
Ｓ３４の後、Ｓ３５に進み、ジョブ編集部１２は、給紙面指示データを生成する。これはパーツ毎に、使用する後処理装置４の数分だけ指示データのコンテンツを生成する。次にＳ３６に進み、給紙面指示データを印刷するためのジョブチケットを生成する。これは例えば、パーツのジョブと同様に、フェースアップで排紙するか、フェースダウンで排紙するかの等の設定や、印刷物をどの向きに排紙するかの制御を含む。最後にＳ３７に進み、デバイス管理部９は、図４で説明したジョブに加えて、Ｓ３５で生成した給紙面指示データのコンテンツと、Ｓ３６で生成した給紙面指示データの印刷用のジョブチケットを印刷装置３へ送信する。この際、後処理装置４の給紙方法によって先頭に排紙するか、末尾に排紙するかを決定する。
【００７２】
図１３は、実施形態３に係るパーツ（帯）の給紙面指示データの印刷例を示す図である。
【００７３】
給紙面指示データには例えば、図に示すように「筋入れ機の給紙時に表にする面」と印刷されており、印刷物のどちらの向きにして給紙するかの指示を作業者に促す。前述の図５では、筋入れ機３７への給紙は「フェースダウン給紙」であるため、帯３３の印刷物は裏面を上にして給紙される。また印刷装置３に給紙面指示データを送信する際には、ジョブ１よりも先に送信されて、「筋入れ機の給紙時に表にする面」が印刷が行われる。そして、このメッセージの印刷完了後、ジョブ１の印刷物の上面に給紙面指示データが印刷された用紙が排紙されて追加される。従って、作業者はこの情報を確認して、筋入れ機３７への給紙時に印刷物の順序を確認することができる。
【００７４】
以上説明したように本実施形態３によれば、印刷装置３からの印刷物を排紙する際、印刷物をどの向きで給紙するかの指示データを印刷した用紙を排紙する。これにより作業者は、各パーツが使用する後処理装置４に対して印刷物をどの向きで給紙するかを確認でき、誤った向きに印刷物を給紙するのを防止できる。
【００７５】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005759197.tif 000002
【図２】
0005759197.tif 000003
【図３】
0005759197.tif 000004
【図４】
0005759197.tif 000005
【図５】
0005759197.tif 000006
【図６】
0005759197.tif 000007
【図７】
0005759197.tif 000008
【図８】
0005759197.tif 000009
【図９】
0005759197.tif 000010
【図１０】
0005759197.tif 000011
【図１１】
0005759197.tif 000012
【図１２】
0005759197.tif 000013
【図１３】
0005759197.tif 000014
【図１４】
0005759197.tif 000015